(57)【特許請求の範囲】
【請求項１】
一対の把持部を枢着する枢着部の外に所定長さを有する切断刃が対向して配置され、前記把持部を枢着軸を中心として開閉することにより、前記切断刃が離接して切断対象物を切断可能な切断具において、
１枚の金属板を折り曲げることにより構成され、前記それぞれの切断刃に沿った位置に立設されて相対向する挟持面を備える板状の一対の挟持部と、それぞれの前記挟持部を前記切断刃の延在方向に対して交差する向きに移動可能に支持する支持部と、前記支持部に接続し前記枢着軸に直行する方向に伸び前記枢着軸に固定された前記挟持部及び支持部を所定位置に配置する取り付け部とを有し、前記挟持部及び支持部間の折り曲げ線は、前記枢着軸に略平行になるように構成されている挟持部材を備えることを特徴とする、切断具。
【請求項２】
前記支持部は、前記挟持部の端部を支点として回転移動可能に支持することを特徴とする、請求項１に記載の切断具。
【発明の詳細な説明】
【技術分野】
【０００１】
本発明は、例えばニッパやペンチのような、電子機器の微細なリード線のような細い線又は結束線などの面状体の切断対象物を切断し、切断された切断片の飛散を防止する機能を有する切断具に関する。
【背景技術】
【０００２】
従来から微細なリード線や結束線などの切断対象物を切断する道具として広く用いられているニッパにおいて、切断と同時に発生する切断片の落下や飛散を防止するための機構が種々知られている。例えば、特許文献１（特開２００５−２６１５７３号公報）に記載のニッパは、筒体の開口を切断刃の背後に位置して装着することにより、切断片を筒体内に収納し飛散を防止しようとするものである。
【０００３】
また、切断片の飛散防止の手段として、切断と同時に切断片を挟持して保持する機構を有するニッパが特許文献２又は特許文献３に開示されている。特許文献２（特開平８−１１７４５７号公報）は、相対向する刃部の傾斜面に切断線を挟持することにより切断片の飛散を防止する可撓性を持ち挟持手段を設けたニッパが開示されている。
【０００４】
特許文献３（特開２００５−６６０７８号公報）には、切断刃に連続して設けられた凸部からなる保持部を備え、切断刃同士を噛み合わせたときに刃先をずらして構成することによって切断片を保持部で挟持するニッパが開示されている。
【先行技術文献】
【特許文献】
【０００５】
【特許文献１】特開２００５−２６１５７３号公報
【特許文献２】特開平８−１１７４５７号公報
【特許文献３】特開２００５−６６０７８号公報
【発明の概要】
【発明が解決しようとする課題】
【０００６】
しかし、特許文献１のニッパは、爪切りなどに用いられ切断片が微細な場合は、切断により発生した切断片が筒体内に収納することで飛散を防止することができるが、切断片が長い場合筒体が切断片と干渉し、また、ニッパの使用角度によっては筒体が垂下して使い勝手が悪くなるという問題があった。
【０００７】
特許文献２のニッパは、切断刃の傾斜面に挟持手段が設けられており、挟持手段が弾性変形することで切断片を保持するものであるため、挟持手段が大きくなるという問題があった。これにより、切断刃の切刃部分が視認しにくく、微細な作業が困難になる。また、挟持手段は切刃の刃縁から外方向へ後退して設けられているため、挟持手段間の隙間よりも細いリード線などは挟持することができないという問題があった。
【０００８】
特許文献３のニッパは、切断刃に連続して設けられた凸部からなる保持部により切断片を挟持するものであり、保持部の隙間寸法に適合する切断片しか保持することができず汎用性に乏しいものであった。また、その形状からプライヤータイプの傾斜面の縁辺に切断刃が設けられ、切断刃同士を噛み合わせることにより切断するタイプのものには、適用することが困難であった。
【０００９】
したがって、本発明が解決しようとする技術的課題は、切断片の大きさや長さに拘わらず、確実に切断片を保持することができる切断具を提供することである。
【課題を解決するための手段】
【００１０】
本発明は、上記技術的課題を解決するために、以下の構成の切断具を提供する。
【００１１】
本発明の第１態様によれば、一対の把持部を枢着する枢着部の外に所定長さを有する切断刃が対向して配置され、前記把持部を枢着軸を中心として開閉することにより、前記切断刃が離接して切断対象物を切断可能な切断具において、
１枚の金属板を折り曲げることにより構成され、前記それぞれの切断刃に沿った位置に立設されて相対向する挟持面を備える板状の一対の挟持部と、それぞれの前記挟持部を前記切断刃の延在方向に対して交差する向きに移動可能に支持する支持部と、前記支持部に接続し前記枢着軸に直行する方向に伸び前記枢着軸に固定された前記挟持部及び支持部を所定位置に配置する取り付け部とを有し、前記挟持部及び支持部間の折り曲げ線は、前記枢着軸に略平行になるように構成されている挟持部材を備えることを特徴とする、切断具を提供する。
【００１２】
本発明の第２態様によれば、前記支持部は、前記挟持部の端部を支点として回転移動可能に支持することを特徴とする、第１態様の切断具を提供する。
【発明の効果】
【００１５】
本発明によれば、板状の狭持部は切断刃に沿った位置に立設されているため、切断刃が噛み合ったとき、互いの挟持面が密着する。また、このとき支持部により、切断部は切断刃に対して交差する方向に移動可能に保持されているため、切断対象物の切断時に切断刃が閉じていく際に、挟持面に挟んだ状態となった後も、切断片はそのまま保持された状態を維持することができる。よって、狭持部を密着した状態としても切断刃による切断動作を阻害することはなく、操作性を良好とすることができる。したがって、切断片の大きさや長さに拘わらず、確実に切断片を保持することができる。
【００１６】
さらに、支持部が狭持部を切断刃に対して交差する方向に移動可能に支持することにより、狭持部を板状に構成することができ、刃先を隠蔽することなく、操作時において良好な視認性を確保することができる。
【００１７】
本発明の第３態様によれば、１枚の金属板を折り曲げて挟持部及び支持部を構成するため、簡単な構成で板バネのように狭持部の移動を実現しやすく、また、切断片を適度な狭持力で確実に保持することができる。
【００１８】
本発明の第４態様によれば、切断具と別部材で構成された挟持部材を切断具に取り付けることにより、狭持部が破損した場合なども取り換え自在とすることができる。また、取り付け位置を枢着軸にすることにより、１組の挟持部材を一度に取り付けすることができ、構成を簡単にすることができる。
【図面の簡単な説明】
【００１９】
【図１】本発明の切断具の実施形態にかかるニッパの外観構成を示す斜視図である。
【図２】図１のニッパの切断刃を開いた状態を示す斜視図である。
【図３】図１のニッパの組立て分解斜視図である。
【図４】図１のＡ−Ａ線における断面図である。
【図５】図１のＢ−Ｂ線における断面図である。
【図６】図１のニッパの狭持部の移動方向を示す図である。
【図７】図１のニッパに用いられる右側挟持部材の構成を示す斜視図である。
【図８】図１のニッパに用いられる左側挟持部材の構成を示す斜視図である。
【図９】図１のニッパが切断片を挟持している状態を示す部分拡大斜視図である。
【図１０】本発明の切断具の実施形態にかかるニッパの変形例を示す部分拡大斜視図である。
【発明を実施するための形態】
【００２０】
以下、本発明の切断具の一実施形態に係るニッパについて、図面を参照しながら説明する。
【００２１】
図１は、本発明の実施形態にかかるニッパの外観構成を示す斜視図である。図２は実施形態にかかるニッパの切断刃を開いた状態を示す斜視図である。本実施形態にかかるニッパ１は、左右一対のステー２ａ，２ｂを中間部分で枢着し、開閉自在に構成したものである。
【００２２】
左右一対のステー２ａ，２ｂが枢着する枢着部３は、左右のステーを上下方向に組み合わせて枢着軸３ａにより回転自在に枢着したものである。枢着軸３ａは、図５に示すように、図示下側に位置するステー２ａに設けられた軸部３ｂを図示上側に位置するステー２ｂにはめこんで固定する。また、後述するように軸部３ｂには、挟持部材７ａ，７ｂを取り付けるためのネジ孔３ｃが設けられている。
【００２３】
ステー２ａ，２ｂは棒状に構成されており、その端部にはそれぞれ把持部４と刃部５が設けられている。ステー２ａ，２ｂは、端部に設けられている刃部５から枢着部３までは少なくとも金属で構成されている。
【００２４】
把持部４は、ステンレス、樹脂などから構成されており、ステー２ａと一体又は別部材を固定することで構成される。また、把持部４には、滑り止め等の理由により、ゴムや樹脂などの滑り止めを設けてもよい。
【００２５】
刃部５は、ステー２ａ，２ｂの対向側面に構成された凹溝６に設けられており、左右のステー２ａ，２ｂの刃部５の噛み合わせ部分が切断刃５ａとなっている。刃部５は、図５に示す通り、ステー２ａ，２ｂの延在方向に対して傾斜して設けられている。
【００２６】
切断刃５ａは、ステー２ａ，２ｂの延在方向に所定の長さ寸法を有して設けられており、本実施形態では刃渡り約１．５ｃｍに構成されている。本実施形態では切断刃５ａは直線状に構成されているが、これに限定されるものではなく、曲線で構成されていてもよい。
【００２７】
切断刃５ａの上方には、切断刃５ａの延在方向に沿って伸びる金属板で構成された狭持部８が立設されている。狭持部８は相対向して配置され，互いの対向面を挟持面とするものである。また、狭持部８の下端８ａは切断刃５ａに近接して設けられているが、わずかな隙間を形成するように配置されている（図４参照）。
【００２８】
狭持部８は、支持部９により、切断刃５ａの延在方向に対して交差する方向に移動可能に支持されている。支持部９は、狭持部８と一体的に構成され、狭持部に対して略９０度の角度で折り曲げられた薄手の金属板で構成されており、狭持部８と支持部９との間の折り曲げ線９ａが枢着軸３ａと略平行になるように構成される。
【００２９】
上記のように構成された狭持部８と支持部９は板バネのように作用し、折り曲げ線９ａを中心として図６の矢印９０に示すように支持部８が切断刃５ａの延在方向に対して交差する方向に回転移動可能である。
【００３０】
図３に示すように、本実施形態において狭持部８と支持部９は、ニッパ１に脱着可能に取り付けられる挟持部材７ａ，７ｂの一部として構成されている。挟持部材７ａ，７ｂは、図７及び図８にそれぞれ示すように、１枚の金属板を折り曲げることにより構成されている。
【００３１】
左右の挟持部材７ａ，７ｂは、図７及び図８にそれぞれ示すように、１枚の金属板を折り曲げて狭持部８と支持部９を含む各部位を構成する。挟持部材７ａ，７ｂは、上記の通り、狭持部８と支持部９のほか、取り付け部１０、ずれ防止ストッパ１１を備える。左右の挟持部材７ａ，７ｂを構成する金属板は、後述する折り曲げ線９ａにおけるバネ性を確保できるものであれば良く、厚み約０．２から１ｍｍ程度のステンレス板、鋼板、アルミニウム板などが好適に用いられる。本実施形態では０．５ｍｍのステンレス板が用いられている。
【００３２】
狭持部８は図示するように、略三角形状に構成された平板状であり、その下端８ａは、切断刃５ａの傾斜角度に沿うように傾斜辺となっている。
【００３３】
支持部９は、狭持部８に対して垂直な主面を有する略台形形状の部材である。支持部９は枢着部３に近接するようにニッパの凹溝６内に収納される。
【００３４】
取り付け部１０は、支持部９に対して垂直方向に折り曲げられた状態に設けられており、ニッパの枢着部３の上面に積層するように構成されている。取り付け部１０には、ビス挿入孔１０ａが設けられている。
【００３５】
ずれ防止ストッパ１１は、左右の挟持部材７ａ，７ｂがズレないようにするためのものであり、把持部４のネック部分４ａの側面に係合可能な係合壁１１ａを有している。
【００３６】
それぞれの挟持部材７ａ，７ｂは、図３に示すように、左側挟持部材７ｂの上に右側挟持部材７ａを積層し、それぞれのビス挿入孔１０ａにビス１２を挿入して枢着軸３ａに設けられたネジ孔３ｃにビス止めされる。
【００３７】
ニッパに取り付けられた挟持部材７ａ，７ｂは、ずれ防止ストッパ１１の係合壁１１ａが把持部４のネック部分４ａに係合し、支持部９及び狭持部８が刃部５の凹溝６内に収容される。狭持部８は、切断刃５ａに沿って伸びるように立設された状態に配置される。
【００３８】
この状態でニッパの把持部４を開閉操作すると、ずれ防止ストッパ１１によって挟持部材７ａ，７ｂとステー２ａ，２ｂは、枢着軸３ａを中心として一体的に動作する。すなわち、ステー２ａ，２ｂの開閉動作に伴う刃部５の開閉時においても、狭持部８が切断刃５ａに沿った状態を維持することができる。
【００３９】
なお、狭持部８を切断刃５ａの上方に完全に固定する必要はなく、例えば、大径の切断片を挟持可能とするために狭持部８に若干の遊びを許容することもできる。例えば、ずれ防止可能ストッパ１１をネック４ａに対して遊びをもたせ、ビス１２の締め付け強度を調整することで狭持部８に遊びをもたせることができる。
【００４０】
このように挟持部材７ａ，７ｂを枢着軸３ａにビス止めすることにより取り付けることで、挟持部材７ａ，７ｂを簡単に脱着させることができ、かつ、適切な位置に支持部９及び狭持部８を配置することができる。したがって、挟持部材７ａ，７ｂが使用により経年劣化した場合などでも、挟持部材７ａ，７ｂを交換することで支持部９及び狭持部８を適切な位置に配置させることができる。
【００４１】
図９は、本実施形態にかかるニッパが切断片を挟持している状態を示す部分拡大斜視図である。本実施形態にかかるニッパにより切断対象物を切断するには、把持部４を操作して刃部５の切断刃５ａの間に切断対象物を配置し、刃部５を閉じることにより切断刃により切断対象物を切断する。
【００４２】
このとき、刃部５が噛み合う前に、狭持部８が切断対象物に当接する。さらに刃部５を閉じていくと、折り曲げ線９ａを中心として狭持部８が切断刃５ａの延在方向に対して交差する方向に移動し、刃部５の動作及び切断対象物の挟持を維持する。その状態で刃部５によって切断対象物が切断された後は、狭持部８によって切断片１００が挟持された状態となっており、切断片１００の飛散及び脱落を防止することができる。
【００４３】
図１０は、変形例にかかるニッパの構成を示す図である。変形例にかかるニッパは、Ｌ字形に折り曲げて構成された狭持部８及び支持部９を採用し、支持部９を凹溝６の枢着軸側の側壁６ａに直接固定させたものである。このように構成することにより、狭持部を切断刃に沿った位置に立設させ、かつ、切断刃に対して交差する方向に移動可能に保持させることができる。
【００４４】
以上説明したように、本実施形態にかかるニッパによれば、板状の狭持部は切断刃に沿った位置に立設されているため、切断刃が噛み合ったとき、互いの挟持面が密着する。また、このとき支持部により、切断部は切断刃に対して交差する方向に移動可能に保持されているため、切断対象物の切断時に切断刃が閉じていく際に、挟持面に挟んだ状態となった後も、切断片はそのまま保持された状態を維持することができる。よって、狭持部を密着した状態としても切断刃による切断動作を阻害することはなく、操作性を良好とすることができる。また、支持部が狭持部を切断刃に対して交差する方向に移動可能に支持することにより、狭持部を板状に構成することができ、刃先を隠蔽することなく、操作時において良好な視認性を確保することができる。
【００４５】
なお、本発明は上記実施形態に限定されるものではなく、その他種々の態様で実施可能である。上記実施形態では、切断具の例としてニッパを例にとって説明したが、ペンチ、ラジオペンチ、はさみなどの一対の把持部が枢着し、把持部を操作することで切断刃が開閉する切断具に広く適用可能である。
【００４６】
狭持部及び支持部の構成は上記実施形態及び変形例の構成の他、狭持部を狭持部を切断刃に沿った位置に立設させ、かつ、切断刃に対して交差する方向に移動可能に保持させることができるものであれば特にその構成は問わない。例えば、支持部としては、狭持部の先端側を回転軸として移動可能とする構成を採用してもよい。
【符号の説明】
【００４７】
１  ニッパ
２ａ，２ｂ  ステー
３  枢着部
３ａ  枢着軸
４  把持部
５  刃部
５ａ  切断刃
６  凹溝
７ａ，７ｂ  挟持部材
８  狭持部
９  支持部
１０  取り付け部
１１  ずれ防止ストッパ
【図１】
0005856586.tif 000002
【図２】
0005856586.tif 000003
【図３】
0005856586.tif 000004
【図４】
0005856586.tif 000005
【図５】
0005856586.tif 000006
【図６】
0005856586.tif 000007
【図７】
0005856586.tif 000008
【図８】
0005856586.tif 000009
【図９】
0005856586.tif 000010
【図１０】
0005856586.tif 000011